(57)【要約】【課題】  均熱材が谷折りとなる部分で均熱材と熱媒用配管とが擦れて音鳴りが発生するのを防止することができる床暖房パネルを提供する。【解決手段】  板状の基材１の上面に形成した溝２に可撓性を有する熱媒用配管３を収容し、基材１に均熱材４を貼着して主体が構成され、基材１をその分割単位である単位基材１ａを複数枚並設して構成し、熱媒用配管３を両単位基材１ａにまたがって設け、隣接する単位基材１ａをその隣接端部１１にて互いに折り曲げることで折り畳み自在としてなる床暖房パネルである。隣接する単位基材１ａの隣接端部１１の上面が谷折りとなる部分では、均熱材４を両単位基材１ａにまたがって貼着すると共に、この均熱材４の下に位置する溝２の連通端部２１に収容された熱媒用配管３と均熱材４との間に該均熱材４と熱媒用配管３とが擦れるのを防止する緩衝部材５を介在させた。【選択図】図３
2008075992.tif 000002
【特許請求の範囲】
【請求項１】
板状の基材の上面に形成した溝に可撓性を有する熱媒用配管を収容すると共に、前記基材の上面の略全面に亙って均熱材を貼着して主体が構成され、前記基材をその分割単位である単位基材を複数枚並設して構成し、隣接する単位基材の溝同士を略連通するように形成すると共に、前記溝の連通端部を介して熱媒用配管を両単位基材にまたがって設け、隣接する単位基材をその隣接端部にて互いに折り曲げることで折り畳み自在としてなる床暖房パネルにおいて、隣接する単位基材の隣接端部の上面が山折りとなる部分では、均熱材を各単位基材毎に分離して貼着し、隣接する単位基材の隣接端部の上面が谷折りとなる部分では、均熱材を両単位基材にまたがって貼着すると共に、この均熱材の下に位置する溝の連通端部に収容された熱媒用配管と均熱材との間に該均熱材と熱媒用配管とが擦れるのを防止する緩衝部材を介在させて成ることを特徴とする床暖房パネル。
【請求項２】
緩衝部材が均熱材と熱媒用配管との間を移動してずれるのを防止する粘着材を緩衝部材に設けて成ることを特徴とする請求項１記載の床暖房パネル。
【発明の詳細な説明】
【技術分野】
【０００１】
本発明は、基材に熱媒用配管を収容して上面に均熱材を貼着した床暖房パネルに関するものである。
【背景技術】
【０００２】
従来より、温水等の熱媒により暖房を行う床暖房パネルが用いられている（例えば特許文献１参照）。
【０００３】
床暖房パネルは、板状の基材の上面に形成した溝に熱媒用配管を収容すると共に、前記基材の上面に均熱材を貼着して構成されるもので、床下地や既設床の上に敷設され、その上面の均熱材上に床表面材を敷設して、別途設けた熱源装置からの熱媒を熱媒用配管に流して床暖房を行なうものである。この床暖房パネルは、通常は部屋の床面全面や広い領域に亙って敷設するため、この対象領域に床暖房パネルを並設している。
【０００４】
各床暖房パネルは、基材を分割した単位基材に上述した熱媒用配管、均熱材を設けて形成され、その一端から熱媒が流入すると共に他端から熱媒が流出するのであるが、各床暖房パネル毎に個別に熱源装置からの熱媒を流出入するとなると配管が複雑となって製造コストが上昇するうえ設置作業も煩雑となってしまうため、複数の分割した床暖房パネルを同一の熱媒用配管で暖房できるようにユニット化して用いられている。これは、複数の床暖房パネルにまたがって一つの熱媒用配管を設け、搬送し易いように、隣接する床暖房パネルを互いに折り曲げることで折り畳み自在としたものである。
【０００５】
ここで、基材の上面に貼着される均熱材は、複数の床暖房パネル全体に亙って継ぎ目なく貼着されるのが好ましいが、床暖房パネルを折り畳み自在としたことで、均熱材が山折りとなる部分では、隣接する床暖房パネルの隣接端部同士が離間するため、この両隣接端部にまたがって均熱材を貼着しておくことはできず、均熱材を分離しておく必要があり、床暖房パネルを広げて敷設した後で新たに均熱材を両床暖房パネルにまたがって貼着することとなる。これに対して均熱材が谷折りとなる部分では、隣接する床暖房パネルの隣接端部同士は離間しないため、予め均熱材を両床暖房パネルにまたがって貼着した状態で折り畳むことができる。
【０００６】
しかしながらこの場合、均熱材が谷折りとなる床暖房パネルの隣接端部においては、折り畳んだり広げたりする際に均熱材が床暖房パネルの上面から剥がれる方向に引っ張られ、均熱材とこの下に位置する熱媒用配管との間に空隙が生じたり、均熱材が熱媒用配管を下方に押さえ付ける力が低下してしまう。すると、床暖房を行うため熱媒用配管に熱媒を流した際、熱媒の流れや熱媒用配管の熱膨張等による熱媒用配管の挙動を均熱材で抑えることができず、均熱材と熱媒用配管とが擦れて音鳴りが発生してしまうものであった。
【特許文献１】特開２００５−１２７５４８号公報
【発明の開示】
【発明が解決しようとする課題】
【０００７】
本発明は上記の点に鑑みてなされたものであり、その目的とするところは、基材に熱媒用配管を収容して上面に均熱材を貼着し、基材を複数の単位基材で構成して折り畳み自在とした床暖房パネルにおいて、均熱材が谷折りとなる部分で均熱材と熱媒用配管とが擦れて音鳴りが発生するのを防止することができる床暖房パネルを提供することを課題とするものである。
【課題を解決するための手段】
【０００８】
上記課題を解決するために請求項１に係る発明にあっては、板状の基材１の上面に形成した溝２に可撓性を有する熱媒用配管３を収容すると共に、前記基材１の上面の略全面に亙って均熱材４を貼着して主体が構成され、前記基材１をその分割単位である単位基材１ａを複数枚並設して構成し、隣接する単位基材１ａの溝２同士を略連通するように形成すると共に、前記溝２の連通端部２１を介して熱媒用配管３を両単位基材１ａにまたがって設け、隣接する単位基材１ａをその隣接端部１１にて互いに折り曲げることで折り畳み自在としてなる床暖房パネルにおいて、隣接する単位基材１ａの隣接端部１１の上面が山折りとなる部分では、均熱材４を各単位基材１ａ毎に分離して貼着し、隣接する単位基材１ａの隣接端部１１の上面が谷折りとなる部分では、均熱材４を両単位基材１ａにまたがって貼着すると共に、この均熱材４の下に位置する溝２の連通端部２１に収容された熱媒用配管３と均熱材４との間に該均熱材４と熱媒用配管３とが擦れるのを防止する緩衝部材５を介在させて成ることを特徴とするものである。
【０００９】
このように、緩衝部材５を熱媒用配管３と均熱材４との間に介在させることで、熱媒用配管３と均熱材４とが擦れて音鳴りが発生するのを防止することができる。
【００１０】
また、請求項２に係る発明にあっては、請求項１に係る床暖房パネルにおいて、緩衝部材５が均熱材４と熱媒用配管３との間を移動してずれるのを防止する粘着材を緩衝部材５に設けて成ることを特徴とするものである。
【００１１】
このように、緩衝部材５に粘着材を設けることで、緩衝部材５が均熱材４又は熱媒用配管３又はその両方に固定されて、予め設けてある緩衝部材５が搬送時や作業時にずれるのが防止される。
【発明の効果】
【００１２】
本発明にあっては、緩衝部材を熱媒用配管と均熱材との間に介在させることで、熱媒用配管に熱媒を流した際の熱媒用配管の挙動により、均熱材と熱媒用配管とが直接擦れて音鳴りが発生してしまうのを防止できる。
【発明を実施するための最良の形態】
【００１３】
以下、本発明を添付図面に示す実施形態に基いて説明する。
【００１４】
まず床暖房パネルの基本構成について説明する。床暖房パネルは、図１、図２に示すように、板状の基材１と、該基材１に設けられる熱媒用配管３および均熱材４で主体が構成される。
【００１５】
基材１は、合板、パーティクルボード、中密度繊維板、樹脂板、断熱性を有する発泡ポリスチレンのような発泡体板等で形成されるもので、床下地や既設床の上に敷設される。基材１を発泡体板のような剛性の低い部材で形成する場合には、本実施形態のように合板等からなる小根太１０を適宜挿入することで補強を行う。基材１は、様々な形状や面積の床に合わせて敷設できるように、また、搬送し易いように、複数の単位基材１ａにて構成される。単位基材１ａは、特に形状や面積等は限定されないが、矩形状をした同一形状とすることで製造や搬送や敷設においてコスト減、作業や管理の容易化等を図ることができ、作業者による搬送と作業性を考慮して縦横が１〜２ｍ×２〜３ｍ程度の矩形状とするのが好ましい。また厚みは１ｃｍ〜数ｃｍとするのが好ましい。単位基材１ａの上面には、熱媒用配管３を収容するための溝２が形成してある。本実施形態では、溝２は基材１の略全面に行き渡るように蛇行させて密に形成してある。そして、単位基材１ａ毎に床暖房パネルの最小単位となる単位パネルＰが構成され、複数の単位パネルＰを並設して折り畳みユニットＵが構成されるもので、以下に説明する。
【００１６】
折り畳みユニットＵは、多くの単位パネルＰを容易に折り畳めることができるように、例えば単位パネルＰをつづら折り状に折り畳み自在となるようにしたものである。折り畳むにあたっては、隣接する単位基材１ａの突き合わされた隣接端部１１を中心として両単位基材１ａを相対的に回転させて折り曲げ、両単位基材１ａが重なるように畳むものである。つづら折り状に折る場合は、これを端から山折りと谷折りを交互に行って最終的に一つの単位基材１ａに重なるように畳むが、特につづら折り状とする必要はなく、上面が谷折りとなる箇所が少なくとも一箇所あればよい。図１に示す実施形態では、縦横二枚ずつ計四枚の単位基材１ａ（単位パネルＰ）からなり、谷折りする場合には図中の線イにて左右に折り畳み、山折りする場合には図中の線ロにて上下に折り畳むようになっている。
【００１７】
これらの単位パネルＰの単位基材１ａには上記溝２を形成するのであるが、一本あるいは少ない本数の熱媒用配管３で折り畳みユニットＵの単位基材１ａ全部に行き渡らせられるように単位基材１ａにまたがって熱媒用配管３を配設してある。これは、隣接する単位基材１ａにおいて、それぞれの単位基材１ａの隣接端部１１における溝２の側方への開口２０（図４、図５参照）の位置を合わせることで、単位パネルＰを開いた状態で両方の溝２が連通するようにしたものである。これにより、一本あるいは少ない本数の熱媒用配管３で折り畳みユニットＵの単位基材１ａ全部に熱媒を行き渡らせられる。
【００１８】
また、基材１の溝２の側方への開口２０のうち一組あるいは数組は、図示しない熱源装置からの熱媒の出入口として使用されるもので、本実施形態では、基材１に形成した切欠１２に臨むように溝２の側方への開口２０を複数組形成すると共に、前記切欠１２に熱源装置からの熱媒が流出入するヘッダーＨを配置して、前記開口２０から突出する熱媒用配管３をヘッダーＨに接続してある。
【００１９】
熱媒用配管３は、架橋ポリエチレンのような合成樹脂等の可撓性を有する材料で形成される径φ５〜１０ｍｍ程度の管で、管の長手方向において数ｃｍ〜１０ｃｍ程度の曲率半径で曲げることが可能となっている。この熱媒用配管３は、上記複数の単位基材１ａにまたがってその溝２内に収容される。溝２は、熱媒用配管３の径と略同じ幅、深さに形成してあり、熱媒用配管３を嵌入して収容することで、熱媒用配管３が溝２内で幅方向に動き得ないようになっている。また、熱媒用配管３の長手方向への動きは、熱媒用配管３が長尺で摩擦力が大きいことから問題となるような動きは生じない。また、溝２の隣接する単位基材１ａの溝２へ連通する開口２０付近（請求項１における連通端部２１であり、以下連通端部２１という）においては、折り畳む際に熱媒用配管３の折り曲げられる部分が収容されると共に折り畳む際に該連通端部２１から外に出られるよう若干幅広としてスペースを取り、熱媒用配管３の折り曲げられる部分となる余長部分は、広げた際に連通端部２１内に若干曲がって収容されるようになっている。
【００２０】
また、本実施形態では基材１中の適宜箇所に小根太１０を挿入してあるが、熱媒用配管３が小根太１０を横切ることになる部分は基材１で形成してあり、小根太１０がない部分に補強材１０ａを架設してもよい。
【００２１】
そして、熱媒用配管３を収容した基材１の上面には、均熱材４が貼着される。均熱材４は、アルミ箔のような熱伝導性のよい金属が好ましく、基材１の上面に圧着したり接着剤により接着したりして貼着する。溝２の部分においては、溝２の深さを熱媒用配管３の径と略同じに形成して、溝２に収容された熱媒用配管３の上端部と基材１の上面とが略面一となっていて、基材１の上面に貼着した均熱材４によって熱媒用配管３が下方へ押さえ付けられて、熱媒用配管３の上下の動きが規制される。
【００２２】
上記背景技術の欄で述べたように、均熱材４は、上面が山折りとなる隣接端部１１においては、予め均熱材４を両隣接端部１１にまたがって貼着しておくことはできないため、出荷時には均熱材４を分離しておき、搬入して敷設した後で、別の新たな均熱材４をこの隣接端部１１間にまたがって貼着する。そして、上面が谷折りとなる隣接端部１１においては、予め均熱材４を両床暖房パネルにまたがって貼着しておくことができるが、搬入・敷設する際、上述したように均熱材４が床暖房パネルの上面から剥がれる方向に引っ張られ、溝２の連通端部２１に位置する均熱材４の熱媒用配管３を押さえ付ける力が低下し、均熱材４の押さえ付け力から解放された熱媒用配管３に熱媒が流された際、熱媒用配管３が広いスペースを有する連通端部２１内で動いて、均熱材４と熱媒用配管３とが擦れて音鳴りが発生してしまう。そこで、本発明では、図３に示すように、熱媒用配管３が動いても均熱材４と擦れて音鳴りが発生しないように、溝２の連通端部２１において、均熱材４と熱媒用配管３との間に緩衝部材５を介在させるものである。
【００２３】
緩衝部材５は、和紙等の紙類や、織布や不織布をはじめ、均熱材４および熱媒用配管３と擦れても音鳴りが発生しない部材で形成される。厚さは特に限定されないが、素材により、破れない厚さとすればよく、それ以上としても特に効果は変わらない。緩衝部材５は、均熱材４と熱媒用配管３との間に挿し挟むだけで配置してもよいが、折り畳んだり広げたりあるいは搬送中に移動してずれる惧れがあるため、緩衝部材５に粘着材を設けて、均熱材４又は熱媒用配管３又はその両方に固定し、ずれるのを防止することが好ましいものである。
【００２４】
本実施形態では、図３に示すように、熱媒用配管３の余長部分が収容されるように若干幅広とする連通端部２１を、隣接する単位基材１ａの隣接端部１１の一方側に形成し（図中では隣接する左側）、この連通端部２１に緩衝部材５を設けてあるが、前記連通端部２１を隣接する単位基材１ａの隣接端部１１の両方に形成し、両方の連通端部２１にそれぞれ緩衝部材５を設けても勿論よいものである。
【００２５】
このように、緩衝部材５を均熱材４と熱媒用配管３との間に介在させることで、熱媒用配管３に熱媒を流した際、熱媒の流れや熱媒用配管３の熱膨張等による熱媒用配管３が動いても、均熱材４と熱媒用配管３とが直接擦れることがなく、均熱材４と熱媒用配管３とが擦れることによる音鳴りの発生を防止することができる。
【図面の簡単な説明】
【００２６】
【図１】床暖房パネルの均熱材を除いた平面図である。
【図２】同上の床暖房パネルを示し（ａ）は図１のＡ−Ａ断面図であり、（ｂ）は図１のＢ部拡大図である。
【図３】図１の要部の平面図である。
【図４】（ａ）は床暖房パネルを山折りする状態を説明する上から見た斜視図であり、（ｂ）は（ａ）のＣ部拡大図である。
【図５】（ａ）は床暖房パネルを谷折りする状態を説明する下から見た斜視図であり、（ｂ）は（ａ）の要部拡大図である。
【符号の説明】
【００２７】
１    基材
１ａ  単位基材
１０  小根太
１０ａ  補強材
１１  隣接端部
１２  切欠
２    溝
２０  開口
２１  連通端部
３    熱媒用配管
４    均熱材
５    緩衝部材
Ｕ    折り畳みユニット
Ｐ    単位パネル
Ｈ    ヘッダー  
【図１】
2008075992.tif 000003
【図２】
2008075992.tif 000004
【図３】
2008075992.tif 000005
【図４】
2008075992.tif 000006
【図５】
2008075992.tif 000007